(57)【特許請求の範囲】
【請求項１】
左右一対の側板と、
前記側板に対して前記側板の長手方向にスライド開閉可能に設けるとともに、帯状の台紙なしラベルをロール状に保持可能な用紙ホルダーと、
前記台紙なしラベルを移送する移送ローラと、
前記台紙なしラベルを前記移送ローラに押し付ける押付エレメントと、を有し、
前記移送ローラと前記押付けエレメントとで挟持して移送されることで、前記用紙ホルダーから前記側板の内部を移送されて前記側板の外部に排出されてきた前記台紙なしラベルを貼り付けるための携帯式台紙なしラベル貼付け機のラベル保持装置であって、
前記用紙ホルダーを前記側板に対してスライド開放して前記台紙なしラベルを前記用紙ホルダーにロール状に装填可能とし、
前記用紙ホルダーから前記台紙なしラベルを帯状に繰り出して前記側板内に挿通した状態で、前記用紙ホルダーを前記側板に対してスライド閉鎖し、
前記用紙ホルダーをスライド開放したときと、スライド閉鎖したときとで、前記用紙ホルダーにロール状に巻かれている台紙なしラベルの円周部から帯状に繰り出される繰出し点から、前記移送ローラと前記押付けエレメントとが挟持する位置までの距離が略変わらないことを特徴とする携帯式台紙なしラベル貼付け機のラベル保持装置。
【請求項２】
左右一対の側板と、
前記側板に対して前記側板の長手方向にスライド開閉可能に設けるとともに、帯状の台紙なしラベルをロール状に保持可能な用紙ホルダーと、
前記台紙なしラベルを移送する移送ローラと、
前記台紙なしラベルを前記移送ローラに押し付ける押付エレメントと、を有し、
前記移送ローラと前記押付けエレメントとで挟持して移送されることで、前記用紙ホルダーから前記側板の内部を移送されて前記側板の外部に排出されてきた前記台紙なしラベルを貼り付けるための携帯式台紙なしラベル貼付け機のラベル保持装置であって、
前記用紙ホルダーを前記側板に対してスライド開放して前記台紙なしラベルを前記用紙ホルダーにロール状に装填可能とし、
前記用紙ホルダーの前記側板に対するスライド閉鎖にともなって前記台紙なしラベルを前記用紙ホルダー内に巻き取り可能とするラベル巻取り機構を有し、
前記用紙ホルダーをスライド閉鎖したとき、前記台紙なしラベルは、前記用紙ホルダーにロール状に巻かれている台紙なしラベルの円周部から帯状に繰り出される繰出し点から、前記移送ローラと前記押付けエレメントとが挟持する位置までにおいて、弛みが生じないことを特徴とする携帯式台紙なしラベル貼付け機のラベル保持装置。
【請求項３】
前記側板と前記用紙ホルダーとの間に、前記用紙ホルダーのスライド開放およびスライド閉鎖を可能とするスライド機構を設けていることを特徴とする請求項１または２記載の携帯式台紙なしラベル貼付け機のラベル保持装置。
【請求項４】
前記ラベル巻取り機構は、
前記用紙ホルダーのスライド範囲内に設けたラックギアと、
前記用紙ホルダーの前記ホルダー軸に設けた保持軸ギアと、
前記保持軸ギアおよび前記ラックギアに係脱するとともに、前記用紙ホルダーの前記スライド閉鎖にともなって前記ラックギアとの係合によりその回動力を前記保持軸ギアに伝達可能なピニオンギアと、を有することを特徴とする請求項２記載の携帯式台紙なしラベル貼付け機のラベル保持装置。
【請求項５】
前記ラベル巻取り機構は、
前記用紙ホルダーの前記側板へのスライド閉鎖の終了にともなって、その巻取り機能を解除することを特徴とする請求項２または４記載の携帯式台紙なしラベル貼付け機のラベル保持装置。
【請求項６】
前記ピニオンギアは、
前記用紙ホルダーの前記側板へのスライド閉鎖の終了にともなって、前記ラックギアとの係合を解除することを特徴とする請求項４記載の携帯式台紙なしラベル貼付け機のラベル保持装置。
【請求項７】
左右一対の側板と、
前記側板に対して前記側板の長手方向にスライド開閉可能に設けるとともに、帯状の台紙なしラベルをロール状に保持可能な用紙ホルダーと、
前記台紙なしラベルを移送する移送ローラと、
前記台紙なしラベルを前記移送ローラに押し付ける押付エレメントと、を有し、
前記移送ローラと前記押付けエレメントとで挟持して移送されることで、前記用紙ホルダーから前記側板の内部を移送されて前記側板の外部に排出されてきた前記台紙なしラベルを貼り付けるための携帯式台紙なしラベル貼付け機のラベル保持方法であって、
前記用紙ホルダーを前記側板に対してスライド開放して前記台紙なしラベルを前記用紙ホルダーにロール状に装填可能とし、
前記用紙ホルダーから前記台紙なしラベルを帯状に繰り出して前記側板内に挿通した状態で、前記用紙ホルダーを前記側板に対してスライド閉鎖し、
前記用紙ホルダーをスライド開放したときと、スライド閉鎖したときとで、前記用紙ホルダーにロール状に巻かれている台紙なしラベルの円周部から帯状に繰り出される繰出し点から、前記移送ローラと前記押付けエレメントとが挟持する位置までの距離が略変わらないことを特徴とする携帯式台紙なしラベル貼付け機のラベル保持方法。
【請求項８】
左右一対の側板と、
前記側板に対して前記側板の長手方向にスライド開閉可能に設けるとともに、帯状の台紙なしラベルをロール状に保持可能な用紙ホルダーと、
前記台紙なしラベルを移送する移送ローラと、
前記台紙なしラベルを前記移送ローラに押し付ける押付エレメントと、を有し、
前記移送ローラと前記押付けエレメントとで挟持して移送されることで、前記用紙ホルダーから前記側板の内部を移送されて前記側板の外部に排出されてきた前記台紙なしラベルを貼り付けるための携帯式台紙なしラベル貼付け機のラベル保持方法であって、
前記用紙ホルダーを前記側板に対してスライド開放して前記台紙なしラベルを前記用紙ホルダーにロール状に装填可能とし、
前記用紙ホルダーの前記側板に対するスライド閉鎖にともなって前記台紙なしラベルを前記用紙ホルダー内に巻き取り可能とするラベル巻取り機構を有し、
前記用紙ホルダーをスライド閉鎖したとき、前記台紙なしラベルは、前記用紙ホルダーにロール状に巻かれている台紙なしラベルの円周部から帯状に繰り出される繰出し点から、前記移送ローラと前記押付けエレメントとが挟持する位置までにおいて、弛みが生じないことを特徴とする携帯式台紙なしラベル貼付け機のラベル保持方法。
【発明の詳細な説明】
【技術分野】
【０００１】
本発明は携帯式台紙なしラベル貼付け機のラベル保持装置およびラベル保持方法にかかるもので、とくに帯状の台紙なしラベルをロール状に保持した上で、これを貼付け機内に帯状に繰り出し可能とする携帯式台紙なしラベル貼付け機のラベル保持装置およびラベル保持方法に関するものである。
【背景技術】
【０００２】
従来から、単葉のラベル片を複数枚有するラベル連続体を移送するとともに印字器によりラベル片に印字を行って、商品その他任意の被貼付け体に貼り付けるための携帯式ラベル印字貼付け機には、ロール状のラベル連続体を用紙ホルダーに保持するとともに、ラベル連続体を貼付け機内に装填する必要がある。
なお、上記印字器を装備せず、あらかじめ印刷してあるラベルを貼り付けるための携帯式ラベル貼付け機にも同様にラベル連続体を装填する必要がある。
従来の携帯式ラベル貼付け機として台紙なしラベル用の携帯式ラベル貼付け機（携帯式台紙なしラベル印字貼付け機１）を例にとって図６ないし図１０にもとづき概説する。
【０００３】
図６は、携帯式台紙なしラベル印字貼付け機１の概略側面図、図７は、同、一方の側板２を取り除いた状態の概略側面図である。
携帯式台紙なしラベル印字貼付け機１は、左右（紙面表裏）一対の側板２と、台紙なしラベル３（ラベル連続体）の用紙ホルダー４と、操作レバー５と、プラテンユニット６と、印字器７と、貼付けローラー８と、を有する。
【０００４】
左右一対の側板２は、操作者が握持可能なグリップ９を一体に形成するとともに、このグリップ９に対してレバー軸１０（図７）のまわりに操作レバー５を回動操作可能としている。
なお、操作レバー５とグリップ９との間には、任意の付勢部材、たとえばコイルスプリング１１を設けて、操作レバー５をグリップ９に対して、図６に示すような常時（操作レバー５の解放時）離反状態に付勢可能としている。
操作者は、コイルスプリング１１の付勢力に抗してグリップ９および操作レバー５を握持して携帯式台紙なしラベル印字貼付け機１内のプラテンユニット６および印字器７を駆動するとともに、この握持操作を解放後、携帯式台紙なしラベル印字貼付け機１の貼付けローラー８による台紙なしラベル３の貼付け操作を行うことになる。
【０００５】
台紙なしラベル３は、これをロール状に巻いて用紙ホルダー４に保持するとともに、操作レバー５の操作にともなって、プラテンユニット６により印字器７方向に台紙なしラベル３を帯状に繰り出し、プラテンユニット６の先端部でプラテンユニット６から台紙なしラベル３を分離し、貼付けローラー８により台紙なしラベル３を被貼付け体（図示せず）に貼り付け可能とする。ただし、台紙なしラベル３には所定ピッチで移送用スリット３Ａなどを形成し、プラテンユニット６上を移送する際に、任意の切断分離ユニット（図示せず）により、帯状の台紙なしラベル３から単葉のラベル片３Ｂとすることができる。
【０００６】
用紙ホルダー４は、側板２の上面に設けたホルダー軸１２のまわりに側板２に対して開閉回動可能とした断面半円弧状のホルダーカバー１３と、このホルダーカバー１３の内部に設けたラベル保持軸１４と、側板２への固定用フック１５と、を有し、ラベル保持軸１４にロール状の台紙なしラベル３を装填保持可能としてある。
【０００７】
プラテンユニット６は、用紙ホルダー４から帯状に繰り出された台紙なしラベル３をその上面に移送するもので、プラテンフレーム１６と、移送ローラー１７と、押付けエレメント１８と、を有している。
【０００８】
プラテンフレーム１６は、側板２に設けたプラテン開閉軸１９（図７）のまわりにこれを回動可能とし、側板２に対してプラテンユニット６全体を開閉し、台紙なしラベル３の挿通装填を可能とする。
プラテンフレーム１６は、駆動ギア２０および従動ギア２１と、これら駆動ギア２０および従動ギア２１のまわりに掛け回した移送用無端ベルト２２と、を備えており、駆動ギア２０が移送ローラー１７のローラーギア２３に係合する。
移送用無端ベルト２２は、移送ローラー１７により移送されてくる台紙なしラベル３をさらに移送可能であって、その表面は、台紙なしラベル３の裏面（糊面）が接触移送されるため、非粘着性の物性を有するシリコーンあるいはフッ素系のゴム材からこれを構成するか、剥離剤などを塗布しておく。また、このプラテンユニット６に組み込まれた移送用無端ベルト２２は、印字器７による台紙なしラベル３への押印動作の受け台（プラテン）ともなるもので、その内方において印字器７に対向する受圧用プレート２２Ａを配置してある。
なお、プラテンフレーム１６の先端側の左右には、一対の係脱ローラー２４を突出形成し、側板２に設けた開閉用つまみ２５（図６）に連動してつまみ軸２６（図７）のまわりに回動する開閉用係脱片２７の係脱用凹部２７Ａに係脱可能としてある。ただし、つまみ軸２６には任意のバネ材（図示せず）を設けて、開閉用係脱片２７が係脱ローラー２４に係合する方向にこれを付勢している。
すなわち、開閉用つまみ２５は、係脱ローラー２４に係脱する開閉用係脱片２７を操作して、プラテンユニット６と開閉用係脱片２７とを互いに係脱可能としている。
【０００９】
移送ローラー１７は、プラテンフレーム１６に設けたローラー軸２８のまわりに移送方向に所定ピッチでこれを回転可能としてある。
操作レバー５のレバー軸１０の下方部に延びる連結アーム２９（図６）に移送回動用爪３０を往復動可能に取り付けてあり、この移送回動用爪３０が移送ローラー１７におけるローラーギア２３の側面に放射状に設けた複数個の移送用突起３１それぞれに係脱可能である。
【００１０】
かくして、操作レバー５をグリップ９とともに握持および解放することにより、連結アーム２９、移送回動用爪３０およびローラーギア２３などを介してローラー軸２８のまわりに移送ローラー１７を所定ピッチだけ回転して台紙なしラベル３を移送可能とするとともに、移送ローラー１７のローラーギア２３と駆動ギア２０との連結係合により移送用無端ベルト２２を回転させて台紙なしラベル３をその上面に移送可能である。
【００１１】
さらに移送ローラー１７に所定ピッチでその円周方向に移送用爪（図示せず）を突出形成し、この移送用爪を台紙なしラベル３の移送用スリット３Ａに係脱可能としている。
なお、操作レバー５には、その先端側に二股状のヨーク部５Ａを有し、このヨーク部５Ａに印字器７（図６）を取り付けている。
【００１２】
押付けエレメント１８は、移送ローラー１７に台紙なしラベル３を押し付けるためのものであり、エレメントフレーム３２と、上下左右二対のバックアップローラー３３と、バックアップローラー３３の間に掛け回して中央に位置するバックアップリング３４と、を有する。
なお、プラテンユニット６が開閉用係脱片２７（図７）から離脱したときに、任意の付勢部材（たとえば板バネあるいはねじりコイルバネなど、図示せず）により、押付けエレメント１８から移送ローラー１７を離反させ、その間に台紙なしラベル３を挿通可能とする間隙３５（図７）を形成可能とする。
ただし、プラテンフレーム１６は、係脱ローラー２５と開閉用係脱片２７との係合により、上記付勢部材の付勢力に抗して側板２にこれを固定可能としている。
なお、エレメントフレーム３２は、プラテンフレーム１６の外壁面に設けたエレメント軸３６（図７）のまわりにプラテンフレーム１６に対してこれを回動可能としてあり、プラテンユニット６において押付けエレメント１８に対してプラテンフレーム１６を相対的に開閉可能としている。
【００１３】
バックアップローラー３３およびバックアップリング３４は、台紙なしラベル３の裏面（糊面）が接触移送されるため、非粘着性の物性を有するシリコーンあるいはフッ素系のゴム材からこれを構成するか、剥離剤などを塗布しておくもので、台紙なしラベル３を移送ローラー１７側に押し付け可能である。
また、バックアップローラー３３およびバックアップリング３４は、台紙なしラベル３の糊面に線接触するため、糊面との粘着力を極力小さくすることができるとともに、所定のバネ弾性をもった押付けが可能である。
バックアップローラー３３は、移送ローラー１７と押付けエレメント１８との間に台紙なしラベル３を挟持しつつ、移送ローラー１７の回転によって台紙なしラベル３を移送用無端ベルト２２上に送り出す。
【００１４】
印字器７は、操作レバー５における二股状のヨーク部５Ａの先端部側にこれを取り付け、インキローラー３７（図６）により印字器７の一列上に選択した複数個の活字（図示せず）にインキを塗布し、プラテンユニット６における移送用無端ベルト２２の上面に移送されてきた台紙なしラベル３（ラベル片３Ｂ）に所定の情報を印字する。
【００１５】
かくして、とくに図６に示すように、用紙ホルダー４の部分から側板２内をとおり、プラテンユニット６（移送ローラー１７、押付けエレメント１８）の先端部分に至る移送路３８を形成している。
【００１６】
貼付けローラー８は、側板２の先端下方部に位置し、プラテンユニット６における移送用無端ベルト２２の先端部分で移送用無端ベルト２２から剥離されたラベル片３Ｂを、携帯式台紙なしラベル貼付け機１全体の貼付け操作にともなって、貼付けローラー８によるラベル片３Ｂを被貼付け体に貼り付ける。
すなわち、貼付けローラー８は、側板２の端部（図６中、左端下方端部）に位置するとともに、その円周部の一部が側板２の外部に露出しており、側板２の外部に排出するようにプラテンユニット６およびその移送用無端ベルト２２を通って側板２の外部に移送されてきたラベル片３Ｂを、貼付けローラー８を被貼付け体に打ち付けるようにして回転させることにより、被貼付け体に貼り付け可能とする。
【００１７】
こうした構成の携帯式台紙なしラベル印字貼付け機１に台紙なしラベル３を装填する操作について図８ないし図１０にもとづいて概説する。
図８は、用紙ホルダー４およびプラテンユニット６を側板２に対して開放した状態を示す概略側面図、図９は、プラテンユニット６のみを側板２に対して閉鎖した状態を示す概略側面図、図１０は、プラテンユニット６および用紙ホルダー４を側板２に対して閉鎖した状態を示す概略側面図である。
ロール状の台紙なしラベル３を携帯式台紙なしラベル印字貼付け機１に装填する操作としては、図８に示すように、まず用紙ホルダー４を前記ホルダー軸１２のまわりに図８中、時計方向に回動して開放するとともに、前記開閉用つまみ２５（図６）を操作してプラテンユニット６を前記プラテン開閉軸１９のまわりに反時計方向に回動して開放する。
【００１８】
用紙ホルダー４が解放された状態で、ラベル保持軸１４の側面からロール状の台紙なしラベル３をラベル保持軸１４に嵌め込み、図中、仮想線で示すように、台紙なしラベル３の最先端部３Ｃからこれを帯状に引き出して側板２内の移送路３８、すなわち、プラテンユニット６における移送ローラー１７と押付けエレメント１８との間の間隙３５に挿通する。
【００１９】
つぎに、図９に示すように、プラテンユニット６を時計方向に閉鎖することにより移送ローラー１７と押付けエレメント１８との間に台紙なしラベル３の最先端部３Ｃを挟持させる。
さらに図１０に示すように、用紙ホルダー４を閉鎖して操作レバー５およびグリップ９の握持および開放操作を繰り返すことにより、移送ローラー１７および移送用無端ベルト２２を駆動して携帯式台紙なしラベル印字貼付け機１内に台紙なしラベル３を移送・装填することができるようにする。
【００２０】
しかしながら、実際には、台紙なしラベル３の裏面側には台紙が積層されておらず粘着剤層が露出していることから、用紙ホルダー４とプラテンユニット６との間における移送路３８に台紙なしラベル３が延びたままの状態で、用紙ホルダー４をホルダー軸１２のまわりに閉鎖回動したときに、台紙なしラベル３にたるみが発生し、用紙ホルダー４におけるホルダーカバー１３の円弧先端部１３Ａと台紙なしラベル３の最先端部３Ｃとの間のいずれかの部分の台紙なしラベル３が折り曲がり、ないしは折り畳まれて、図１０に示すように台紙なしラベル３の裏面どうしが貼り付いて貼付き部分３Ｄが生じてその装填に支障があるという問題がある。
【００２１】
さらに、この台紙なしラベル３の裏面どうしの貼付き現象を回避するためには、用紙ホルダー４を側板２に対して閉鎖する際に、台紙なしラベル３をラベル保持軸１４に巻き戻すようにして閉める必要があるため、台紙なしラベル３の装填操作性が低下するという問題がある。
【先行技術文献】
【特許文献】
【００２２】
【特許文献１】特開２００９−２７４２８２号公報
【発明の概要】
【発明が解決しようとする課題】
【００２３】
本発明は以上のような諸問題にかんがみなされたもので、台紙なしラベルを用紙ホルダーから側板内に装填する際に台紙なしラベルの裏面どうしが貼り付いてしまうことを回避可能な携帯式台紙なしラベル貼付け機のラベル保持装置およびラベル保持方法を提供することを課題とする。
【００２４】
また本発明は、台紙なしラベルを側板内に装填する操作性に優れた携帯式台紙なしラベル貼付け機のラベル保持装置およびラベル保持方法を提供することを課題とする。
【００２５】
また本発明は、台紙なしラベルを保持した用紙ホルダーを側板にスライド閉鎖する操作だけで、台紙なしラベルを移送路内に適正に装填可能な携帯式台紙なしラベル貼付け機のラベル保持装置およびラベル保持方法を提供することを課題とする。
【課題を解決するための手段】
【００２６】
本発明の実施形態に係る携帯式台紙なしラベル貼付け機のラベル保持装置は、左右一対の側板と、前記側板に対して前記側板の長手方向にスライド開閉可能に設けるとともに、帯状の台紙なしラベルをロール状に保持可能な用紙ホルダーと、前記台紙なしラベルを移送する移送ローラと、前記台紙なしラベルを前記移送ローラに押し付ける押付エレメントと、を有し、前記移送ローラと前記押付けエレメントとで挟持して移送されることで、前記用紙ホルダーから前記側板の内部を移送されて前記側板の外部に排出されてきた前記台紙なしラベルを貼り付けるための携帯式台紙なしラベル貼付け機のラベル保持装置であって、前記用紙ホルダーを前記側板に対してスライド開放して前記台紙なしラベルを前記用紙ホルダーにロール状に装填可能とし、前記用紙ホルダーから前記台紙なしラベルを帯状に繰り出して前記側板内に挿通した状態で、前記用紙ホルダーを前記側板に対してスライド閉鎖し、前記用紙ホルダーをスライド開放したときと、スライド閉鎖したときとで、前記用紙ホルダーにロール状に巻かれている台紙なしラベルの円周部から帯状に繰り出される繰出し点から、前記移送ローラと前記押付けエレメントとが挟持する位置までの距離が略変わらないことを特徴とする。
また、左右一対の側板と、前記側板に対して前記側板の長手方向にスライド開閉可能に設けるとともに、帯状の台紙なしラベルをロール状に保持可能な用紙ホルダーと、前記台紙なしラベルを移送する移送ローラと、前記台紙なしラベルを前記移送ローラに押し付ける押付エレメントと、を有し、前記移送ローラと前記押付けエレメントとで挟持して移送されることで、前記用紙ホルダーから前記側板の内部を移送されて前記側板の外部に排出されてきた前記台紙なしラベルを貼り付けるための携帯式台紙なしラベル貼付け機のラベル保持装置であって、前記用紙ホルダーを前記側板に対してスライド開放して前記台紙なしラベルを前記用紙ホルダーにロール状に装填可能とし、前記用紙ホルダーの前記側板に対するスライド閉鎖にともなって前記台紙なしラベルを前記用紙ホルダー内に巻き取り可能とするラベル巻取り機構を有し、前記用紙ホルダーをスライド閉鎖したとき、前記台紙なしラベルは、前記用紙ホルダーにロール状に巻かれている台紙なしラベルの円周部から帯状に繰り出される繰出し点から、前記移送ローラと前記押付けエレメントとが挟持する位置までにおいて、弛みが生じないことを特徴とする。
また、前記側板と前記用紙ホルダーとの間に、前記用紙ホルダーのスライド開放およびスライド閉鎖を可能とするスライド機構を設けていることを特徴とする。
また、前記ラベル巻取り機構は、 前記用紙ホルダーのスライド範囲内に設けたラックギアと、 前記用紙ホルダーの前記ホルダー軸に設けた保持軸ギアと、前記保持軸ギアおよび前記ラックギアに係脱するとともに、前記用紙ホルダーの前記スライド閉鎖にともなって前記ラックギアとの係合によりその回動力を前記保持軸ギアに伝達可能なピニオンギアと、を有することを特徴とする。
また、前記ラベル巻取り機構は、 前記用紙ホルダーの前記側板へのスライド閉鎖の終了にともなって、その巻取り機能を解除することを特徴とする。
また、前記ピニオンギアは、前記用紙ホルダーの前記側板へのスライド閉鎖の終了にともなって、前記ラックギアとの係合を解除することを特徴とする。
本発明の実施形態に係る携帯式台紙なしラベル貼付け機のラベル保持方法は、左右一対の側板と、前記側板に対して前記側板の長手方向にスライド開閉可能に設けるとともに、帯状の台紙なしラベルをロール状に保持可能な用紙ホルダーと、前記台紙なしラベルを移送する移送ローラと、前記台紙なしラベルを前記移送ローラに押し付ける押付エレメントと、を有し、前記移送ローラと前記押付けエレメントとで挟持して移送されることで、前記用紙ホルダーから前記側板の内部を移送されて前記側板の外部に排出されてきた前記台紙なしラベルを貼り付けるための携帯式台紙なしラベル貼付け機のラベル保持方法であって、前記用紙ホルダーを前記側板に対してスライド開放して前記台紙なしラベルを前記用紙ホルダーにロール状に装填可能とし、前記用紙ホルダーから前記台紙なしラベルを帯状に繰り出して前記側板内に挿通した状態で、前記用紙ホルダーを前記側板に対してスライド閉鎖し、前記用紙ホルダーをスライド開放したときと、スライド閉鎖したときとで、前記用紙ホルダーにロール状に巻かれている台紙なしラベルの円周部から帯状に繰り出される繰出し点から、前記移送ローラと前記押付けエレメントとが挟持する位置までの距離が略変わらないことを特徴とする。
また、左右一対の側板と、前記側板に対して前記側板の長手方向にスライド開閉可能に設けるとともに、帯状の台紙なしラベルをロール状に保持可能な用紙ホルダーと、前記台紙なしラベルを移送する移送ローラと、前記台紙なしラベルを前記移送ローラに押し付ける押付エレメントと、を有し、前記移送ローラと前記押付けエレメントとで挟持して移送されることで、前記用紙ホルダーから前記側板の内部を移送されて前記側板の外部に排出されてきた前記台紙なしラベルを貼り付けるための携帯式台紙なしラベル貼付け機のラベル保持方法であって、前記用紙ホルダーを前記側板に対してスライド開放して前記台紙なしラベルを前記用紙ホルダーにロール状に装填可能とし、前記用紙ホルダーの前記側板に対するスライド閉鎖にともなって前記台紙なしラベルを前記用紙ホルダー内に巻き取り可能とするラベル巻取り機構を有し、前記用紙ホルダーをスライド閉鎖したとき、前記台紙なしラベルは、前記用紙ホルダーにロール状に巻かれている台紙なしラベルの円周部から帯状に繰り出される繰出し点から、前記移送ローラと前記押付けエレメントとが挟持する位置までにおいて、弛みが生じないことを特徴とする。
【発明の効果】
【００３７】
本発明による携帯式台紙なしラベル貼付け機のラベル保持装置およびラベル保持方法においては、従来のように用紙ホルダーを側板に対して回動開閉するのではなく、用紙ホルダーを側板に対してスライド開放およびスライド閉鎖するようにしたので、用紙ホルダーにロール状に巻かれているその円周部から帯状に繰り出される台紙なしラベルの最先端部までの間における台紙なしラベルの長さが従来の場合より短くすることができ、図１０に示したように台紙なしラベルの裏面どうしが貼り付いて貼付き部分が生ずることを回避可能である。
【００３８】
また、用紙ホルダーから台紙なしラベルを帯状に繰り出して側板内に挿通した状態で、用紙ホルダーを側板に対してスライド閉鎖するようにしたので、用紙ホルダーにロール状に巻かれているその円周部から帯状に繰り出されるその繰出し点がスライド閉鎖の動作で側板に対して大きく移動することがなく、したがって、台紙なしラベルが側板内の移送路において弛む可能性が低いため、台紙なしラベルの裏面どうしが貼り付いてしまうことがなく、台紙なしラベルの挿通装填に支障が生ずることはない。
【図面の簡単な説明】
【００４２】
【図１】本発明の第１の実施例による携帯式台紙なしラベル貼付け機４０のラベル保持装置４１の概略側面図である。
【図２】同、スライド機構４２の側面図である。
【図３】同、用紙ホルダー４３を側板２にスライド閉鎖した状態の携帯式台紙なしラベル貼付け機４０の概略側面図である。
【図４】本発明の第２の実施例による携帯式台紙なしラベル貼付け機６０のラベル保持装置６１の概略側面図である。
【図５】同、用紙ホルダー４３を側板２にスライド閉鎖した状態の携帯式台紙なしラベル貼付け機６０の概略側面図である。
【図６】従来の携帯式台紙なしラベル印字貼付け機１の概略側面図である。
【図７】同、一方の側板２を取り除いた状態の概略側面図である。
【図８】同、用紙ホルダー４およびプラテンユニット６を側板２に対して開放した状態を示す概略側面図である。
【図９】同、プラテンユニット６のみを側板２に対して閉鎖した状態を示す概略側面図である。
【図１０】同、プラテンユニット６および用紙ホルダー４を側板２に対して閉鎖した状態を示す概略側面図である。
【発明を実施するための形態】
【００４３】
本発明は、用紙ホルダーの側板に対するスライド閉鎖に連動して台紙なしラベルを用紙ホルダー内にセットするようにしたので、台紙なしラベルのたるみによる貼付き現象を防止することができる携帯式台紙なしラベル貼付け機のラベル保持装置およびラベル保持方法を実現した。
【実施例】
【００４４】
つぎに本発明の第１の実施例による携帯式台紙なしラベル貼付け機４０のラベル保持装置４１およびラベル保持方法を図１ないし図３にもとづき説明する。ただし、図６ないし図１０と同様の部分には同一符号を付し、その詳述はこれを省略する。
図１は、携帯式台紙なしラベル貼付け機４０のラベル保持装置４１の概略側面図であって、携帯式台紙なしラベル貼付け機４０は、ラベル保持装置４１の部分のみが従来の携帯式台紙なしラベル印字貼付け機１（図６）とは異なる構成を有している。
【００４５】
すなわち、ラベル保持装置４１は、スライド機構４２を設けている。
スライド機構４２は、側板２と用紙ホルダー４３との間にこれを設けているもので、側板２に対する用紙ホルダー４３のスライド開閉およびスライド閉鎖を可能とする。
【００４６】
図２は、スライド機構４２の側面図であって、側板２と用紙ホルダー４３との間に形成した蟻足・蟻溝構造を有する。
すなわち、用紙ホルダー４３は、前記用紙ホルダー４（図６）に相当するものであるが、用紙ホルダー４とは異なって側板２に対して回動開閉するものではなく、側板２に対してスライド開閉するもので、ホルダー本体４４に前記ラベル保持軸１４に相当するラベル保持軸４５をホルダー本体４４に対して自由回転可能に突出形成している。
スライド機構４２としては、ホルダー本体４４の下部に蟻溝４６を形成するとともに、この蟻溝４６に係合して用紙ホルダー４３のスライド開閉を可能とする蟻足４７を側板２の上部に形成している。
【００４７】
なお、必要であれば、用紙ホルダー４３のスライド開放にともなって、用紙ホルダー４３を側板２に対して停止させ、側板２からの用紙ホルダー４３の落下を防止するストッパー機構４８を設けることができる。
ストッパー機構４８としては、側板２およびホルダー本体４４の間に凹凸構造を採用するなど任意の構造を選択可能である。
たとえば、図１に要部を拡大して示すように、ホルダー本体４４の下面に凸部４９を形成するとともに、側板２の上面に凸部４９に係脱する凹部５０を形成しておくことができる。
【００４８】
こうした構成の携帯式台紙なしラベル貼付け機４０のラベル保持装置４１に台紙なしラベル３を装填する操作としては、まず用紙ホルダー４３を側板２に対して図１中、右方向にスライド開放する。
この開放状態でラベル保持軸４５にロール状の台紙なしラベル３を取り付け、その最先端部３Ｃを引き出して、移送ローラー１７と押付けエレメント１８との間に挟み込むようにセットすることにより、プラテンユニット６に台紙なしラベル３の最先端部３Ｃを装填する。
【００４９】
図３は、用紙ホルダー４３を側板２にスライド閉鎖した状態の携帯式台紙なしラベル貼付け機４０の概略側面図であって、用紙ホルダー４３が側板２に対してスライド開放されている図１の状態から、図１中、左方向のスライド閉鎖に対して、用紙ホルダー４３にロール状に巻かれている台紙なしラベル３の円周部から帯状に繰り出されるその繰出し点Ｐは、図３中においても、それほど大きく移動することがない。
すなわち、ラベル保持軸４５から帯状に繰り出された台紙なしラベル３は側板２内ないし側板２への繰り込み部分の付近において、弛みがそれほど発生することなく、したがって、その裏面側の糊面が互いに貼り付いてしまうことを回避可能であって、側板２内への台紙なしラベル３の装填を完了することができる。
【００５０】
かくして、用紙ホルダー４３を側板２に対してスライド開放して台紙なしラベル３を用紙ホルダー４３にロール状に取り付け、用紙ホルダー４３から台紙なしラベル３を帯状に繰り出して側板２内に挿通し、帯状に繰り出された台紙なしラベル３をその上面に移送するプラテンユニット６に台紙なしラベル３の最先端部３Ｃを装填するとともに、用紙ホルダー４３を側板２に対してスライド閉鎖する動作のみで、台紙なしラベル３に弛みを発生することなく、その挿通装填操作を終了することができる。
【００５１】
図４は、本発明の第２の実施例による携帯式台紙なしラベル貼付け機６０のラベル保持装置６１の概略側面図であって、携帯式台紙なしラベル貼付け機６０は、ラベル保持装置６１の部分のみが従来の携帯式台紙なしラベル印字貼付け機１（図６）および第１の実施例による携帯式台紙なしラベル貼付け機４０（図１）とは異なる構成を有している。
【００５２】
すなわち、ラベル保持装置６１は、前述したスライド機構４２に加えて、ラベル巻取り機構６２を有する。
ラベル巻取り機構６２は、ラックギア６３と、保持軸ギア６４と、ピニオンギア６５と、を有し、用紙ホルダー４３の側板２に対するスライド閉鎖にともなって台紙なしラベル３を用紙ホルダー４３内に巻き取り可能とする。
【００５３】
ラックギア６３は、棒状のギアであって、スライド機構４２とはずれた位置において用紙ホルダー４３のスライド開閉範囲内すなわち、側板２の上面に固定してこれを設けてある。
【００５４】
保持軸ギア６４は、用紙ホルダー４３のラベル保持軸４５に同軸にこれを設けており、ラベル保持軸４５とともに一体的に台紙なしラベル３の繰出し方向（正方向）および巻戻し方向（逆方向）に回動する。
【００５５】
ピニオンギア６５は、ホルダー本体４４にこれを自由回動（従動回動）可能に設けてあり、保持軸ギア６４およびラックギア６３に係脱し、スライド機構４２に沿った用紙ホルダー４３のスライド閉鎖にともなってそのスライド力を保持軸ギア６４に伝達可能である。
【００５６】
こうした構成の携帯式台紙なしラベル貼付け機６０のラベル保持装置６１に台紙なしラベル３を装填する操作としては、まず用紙ホルダー４３を側板２に対して図４中、右方向にスライド開放する。
この開放状態でラベル保持軸４５にロール状の台紙なしラベル３を取り付け、その最先端部３Ｃを引き出して移送ローラー１７と押付けエレメント１８との間に挟み込むようにセットすることにより、プラテンユニット６に台紙なしラベル３の最先端部３Ｃを装填する。
【００５７】
用紙ホルダー４３の側板２に対する図４中、左方向のスライド閉鎖に対して、ラックギア６３が固定的であるため、ピニオンギア６５が反時計方向に回動し、その回動力を保持軸ギア６４に伝達し、保持軸ギア６４は、ピニオンギア６５とは反対方向すなわち、時計方向に逆転し、台紙なしラベル３をその逆回転分だけ巻き取る。すなわち、台紙なしラベル３を用紙ホルダー４３内に巻き取り可能とすることができる。
したがって、台紙なしラベル３に弛みが生じたとしても、その弛み分を巻き取ることとなり、台紙なしラベル３の前記繰出し点Ｐは台紙なしラベル３のロール円周上では大きく移動することがない。
【００５８】
図５は、用紙ホルダー４３を側板２にスライド閉鎖した状態の携帯式台紙なしラベル貼付け機６０の概略側面図であって、ラベル巻取り機構６２は、用紙ホルダー４３の側板２へのスライド閉鎖の終了にともなって、その巻取り機能を解除する。
具体的には、ピニオンギア６５が、用紙ホルダー４３の側板２へのスライド閉鎖の終了にともなって、ラックギア６３との係合を解除するため、これ以上の台紙なしラベル３のラベル保持軸４５への巻き戻しを停止することができる。
したがって、ラベル保持軸４５から帯状に繰り出された台紙なしラベル３は側板２内ないし側板２への繰り込み部分の付近においてその裏面側の糊面が互いに貼り付いてしまうことを回避可能であって、側板２内への台紙なしラベル３の装填を完了することができる。
【００５９】
また、ピニオンギア６５が、用紙ホルダー４３の側板２へのスライド閉鎖の終了にともなって、ラックギア６３との係合を解除されているため、携帯式台紙なしラベル貼付け機６０の使用にともなって用紙ホルダー４３部分から台紙なしラベル３がその内部の移送路３８に繰り出されてゆくことに支障はない。
【００６０】
かくして、用紙ホルダー４３を側板２に対してスライド開放して台紙なしラベル３を用紙ホルダー４３にロール状に装填し、用紙ホルダー４３の側板２に対するスライド閉鎖にともなって台紙なしラベル３を用紙ホルダー４３内に巻き取り、挿通装填を完了することができる。
【符号の説明】
【００６１】
１  携帯式台紙なしラベル印字貼付け機（従来、図６）
２  側板
３  台紙なしラベル
３Ａ  台紙なしラベル３の移送用スリット
３Ｂ  台紙なしラベル３の単葉のラベル片
３Ｃ  台紙なしラベル３の最先端部（図１、図３、図８）
３Ｄ  台紙なしラベル３の貼付き部分（図１０）
４  用紙ホルダー
５  操作レバー
５Ａ  操作レバー５の二股状のヨーク部
６  プラテンユニット
７  印字器
８  貼付けローラー
９  グリップ
１０  レバー軸
１１  コイルスプリング
１２  ホルダー軸
１３  ホルダーカバー
１３Ａ  ホルダーカバー１３の円弧先端部（図８）
１４  ラベル保持軸
１５  固定用フック
１６  プラテンフレーム
１７  移送ローラー
１８  押付けエレメント
１９  プラテン開閉軸
２０  駆動ギア
２１  従動ギア
２２  移送用無端ベルト
２２Ａ  移送用無端ベルト２２の受圧用プレート
２３  ローラーギア
２４  係脱ローラー
２５  開閉用つまみ
２６  つまみ軸
２７  開閉用係脱片
２７Ａ  開閉用係脱片２７の係脱用凹部
２８  ローラー軸
２９  連結アーム
３０  移送回動用爪
３１  移送用突起
３２  エレメントフレーム
３３  バックアップローラー
３４  バックアップリング
３５  間隙
３６  エレメント軸
３７  インキローラー
３８  移送路
４０  携帯式台紙なしラベル貼付け機（図１）
４１  携帯式台紙なしラベル貼付け機４０のラベル保持装置（第１の実施例、図１）
４２  スライド機構
４３  用紙ホルダー
４４  ホルダー本体
４５  ラベル保持軸
４６  蟻溝
４７  蟻足
４８  ストッパー機構
４９  凸部
５０  凹部
６０  携帯式台紙なしラベル貼付け機（図４）
６１  携帯式台紙なしラベル貼付け機６０のラベル保持装置（第２の実施例、図４）
６２  ラベル巻取り機構
６３  ラックギア
６４  保持軸ギア
６５  ピニオンギア
Ｐ    用紙ホルダー４３にロール状に巻かれている台紙なしラベル３の円周部から帯状に繰り出されるその繰出し点（図１、図３、図４、図５）
【図１】
0005792970.tif 000002
【図２】
0005792970.tif 000003
【図３】
0005792970.tif 000004
【図４】
0005792970.tif 000005
【図５】
0005792970.tif 000006
【図６】
0005792970.tif 000007
【図７】
0005792970.tif 000008
【図８】
0005792970.tif 000009
【図９】
0005792970.tif 000010
【図１０】
0005792970.tif 000011